(57)【特許請求の範囲】
【請求項１】
ハウジングのナット受け部に圧入されたナットの上面にバスバーの接続部及び電線端末の端子が重ねられ、該端子及び該バスバーの接続部にそれぞれ設けられたボルト孔を通してボルトが該ナットに螺合されて該端子と該バスバーとが締結されている電気接続箱であって、
前記バスバーは、前記接続部の両側縁から延設されて前記ナット受け部を挟むように配置される一組の垂下部を有し、該垂下部の各々に穿設された係止孔に、前記ハウジングの係止爪がそれぞれ係止されて、前記バスバーが前記ハウジングに固定され、前記接続部において前記ナットの上面を押止していることを特徴とする電気接続箱。
【発明の詳細な説明】
【技術分野】
【０００１】
本発明は、自動車等の車両に装備される電気接続箱に関し、詳しくは、バスバーと電線端末の端子とをボルト及びナットで締結して接続する電気接続箱に関する。
【背景技術】
【０００２】
電気接続箱は、箱内のリレー、ヒューズ等の電子部品やバスバーで所望の回路を構成し、バスバーに電線端末の端子が接続されて電源分配や信号の中継などの機能を果たす。そして、バスバーと電線端末の端子との接続において両者をボルト及びナットで締結するものが知られている（例えば特許文献１参照）。
【０００３】
特許文献１に開示された電気接続箱は、バスバーと電線端末の端子とをボルト及びナットで締結し、両者を接続している。ナットは、電気接続箱のハウジングに設けられたナット受け部に予めモールドされており、ナットの上面には、ボルト孔がそれぞれ穿設されたバスバーの先端部及び電線端末の端子が配置され、それぞれのボルト孔を通してボルトがナットに螺合されている。
【０００４】
【特許文献１】特開２００４−０８０８７４号公報
【発明の開示】
【発明が解決しようとする課題】
【０００５】
ところで、電気接続箱のハウジングは、一般には合成樹脂を射出成形して形成されており、例えばＳＰＳ（シンジオタクチックポリスチレン）樹脂などの高強度・高硬度な樹脂が用いられていたが、近年では、より安価なタルク入りＰＰ樹脂なども用いられるようになっている。
【０００６】
ここで、上記特許文献１のようにハウジングのナット受け部にナットをモールド（圧入）した構成において、ナットはナット受け部との摩擦で該ナット受け部に保持されるが、上記タルク入りＰＰ樹脂はＳＰＳ樹脂に比べて柔軟であり、そのため、タルク入りＰＰ樹脂からなるハウジングではナット受け部におけるナットの保持力が不足することが懸念され、締結時にナットがナット受け部から抜けてしまいバスバーと電線端末の端子との接続に支障をきたす虞があった。
【０００７】
本発明は、上述した事情に鑑みてなされたものであり、その目的は、ハウジングのナット受け部に圧入されたナット及びボルトでバスバーと電線端末の端子とを締結して接続する電気接続箱において、ナットの保持力を向上させ、それにより、バスバーと電線端末の端子とを確実に接続することができる電気接続箱を提供することにある。
【課題を解決するための手段】
【０００８】
上記目的を達成すべく、本発明に係る電気接続箱は、ハウジングのナット受け部に圧入されたナットの上面にバスバーの接続部及び電線端末の端子が重ねられ、該端子及び該バスバーの接続部にそれぞれ設けられたボルト孔を通してボルトが該ナットに螺合されて該端子と該バスバーとが締結されている電気接続箱であって、前記バスバーは、前記接続部の両側縁から延設されて前記ナット受け部を挟むように配置される一組の垂下部を有し、該垂下部の各々に穿設された係止孔に、前記ハウジングの係止爪がそれぞれ係止されて、前記バスバーが前記ハウジングに固定され、前記接続部において前記ナットの上面を押止していることを特徴としている。
【発明の効果】
【００１０】
本発明に係る電気接続箱によれば、バスバーがハウジングに固定され、ナット受け部に圧入されているナットの上面に配置された接続部がナットの上面を押止し、ハウジングによるバスバーの保持力を加算してナット受け部におけるナットの保持力不足を補い、ナットがナット受け部から抜けることを防止することができる。それにより、バスバーと電線端末の端子とを確実に接続することができる。そして、バスバーは、接続部の両側縁から延設された一組の垂下部をそれぞれ係止されてハウジングに固定されており、これによれば、ハウジングによるバスバーの保持力を有効に且つ確実に接続部に、そして接続部を介してナットに作用させることができる。
【発明を実施するための最良の形態】
【００１１】
以下、本発明に係る電気接続箱の好適な実施形態を図面に基づいて詳細に説明する。
【００１２】
図１は本発明に係る電気接続箱の一実施形態の斜視図、図２は図１の電気接続箱の要部斜視図、図３は図１の電気接続箱の要部断面図である。
【００１３】
図１及び図２に示すように、本実施形態の電気接続箱１０は、例えばタルク入りＰＰ樹脂等の比較的柔軟な合成樹脂を射出成形して箱状に形成され、内部にリレー等の電子部品やバスバーを収容したハウジング１１と、ヒューズを収容してハウジング１１の底部に組み付けられた別体のカセットヒューズブロック１２とを備えている。
【００１４】
そして、ハウジング１１の１の外側面には電源線接続部１３が外側に張り出して設けられており、この電源線接続部１３に配設されたバスバー１４の一端には電源線Ｗ１の端末の端子１５が接続され、バスバー１４の他端にはカセットヒューズブロック１２へと繋がる中継電線Ｗ２の端末の端子１６が接続されており、電源線Ｗ１と中継電線Ｗ２はバスバー１４を介して電気的に接続されている。
【００１５】
バスバー１４と電源線Ｗ１の端子１５との接続、及び、バスバー１４と中継電線Ｗ２の端子１６との接続は、いずれもボルトＢ及びナットＮで両者を締結して行われている。以下、さらに図３を参照して、締結によるバスバー１４と電源線Ｗ１の端子１５及び中継電線Ｗ２の端子１６との接続構造を説明する。尚、バスバー１４と電源線Ｗ１の端子１５との接続構造と、バスバー１４と中継電線Ｗ２の端子１６との接続構造とは略同一であるから、ここでは代表してバスバー１４と電源線Ｗ１の端子１５との接続構造を説明する。
【００１６】
図３に示すように、ハウジング１１の電源線接続部１３には、上方に開口したナット圧入孔２１及び該圧入孔２１の底面中央部からさらに下方に伸びるボルト受容孔２２が凹設されたナット受け部２０が設けられている。圧入孔２１には予めナットＮが圧入され、圧入されてナット受け部２０に保持されたナットＮの上面は該ナット受け部２０の上面から僅かに突出している。
【００１７】
バスバー１４は、略矩形板状の接続部２５と、該接続部２５の両側縁から下方に伸びている一組の垂下部２６とを有しており、全体として断面コ字状に形成されている。ハウジング１１の外側面とナット受け部２０との間にはバスバー１４の一方の垂下部２６を収容する隙間Ａ１がおかれ、また電源線接続部１３の側壁内面とナット受け部２０との間にはバスバー１４の他方の垂下部２６を収容する隙間Ａ２がおかれおり、バスバー１４は、一組の垂下部２６をそれぞれ隙間Ａ１，Ａ２に挿入しつつ、接続部２５をナットＮの上面に重ねるようにして電源線接続部１３に装着されている。
【００１８】
電源線Ｗ１の端子１５は、１の側縁から中央部に穿設されているボルト孔１５ａに連通するスロット１５ｂが設けられた一種のＹラグ端子であり、バスバー１４の接続部２５に穿設されたボルト孔２５ａを通してボルトＢがナットＮに螺合された状態でボルトＢの頭部と接続部２５との間におかれた隙間に側方から差し込まれるようになっている。ナットＮとボルトＢの頭部との間にバスバー１４の接続部２５及び電源線Ｗ１の端子１５が介装された状態でボルトＢが締められ、バスバー１４と電源線Ｗ１の端子１５とが締結される。
【００１９】
ここで、ボルトＢが締められるに伴ってナットＮには反力が作用し、該反力はナットＮを圧入孔２１から抜くように作用する。該反力に抗すべく、本実施形態では、ハウジング１１の外側面とナット受け部２０との間の隙間Ａ１及び、電源線接続部１３の側壁内面とナット受け部２０との間の隙間Ａ２にそれぞれ収容されてナット受け部２０を挟むように配置されているバスバー１４の一組の垂下部２６をハウジング１１に係止し、それによりバスバー１４をハウジング１１に固定して、接続部２５においてナットＮを押止するようにしている。
【００２０】
ハウジング１１の外側面とナット受け部２０との間の隙間Ａ１には、基端部をハウジング１１の外側面に接続して下方に向けて延在している弾性係止片２７が配設されており、また、電源線接続部１３の側壁内面とナット受け部２０との間の隙間Ａ２には、基端部をナット受け部２０の側面に接続して下方に向けて延在している弾性係止片２８が配設されている。
【００２１】
これらの弾性係止片２７，２８は、ハウジング１１の外側面とナット受け部２０との間の隙間Ａ１及び、電源線接続部１３の側壁内面とナット受け部２０との間のＡ２にそれぞれ挿入されたバスバー１４の一組の垂下部２６に添い、垂下部２６との接触面の先端部に設けられた係止爪２７ａ，２８ａを垂下部２６に穿設された係止孔２６ａにそれぞれ係合させて垂下部２６を係止し、一組の垂下部２６が隙間Ａ１，Ａ２から抜けることを規制している。これにより、バスバー１４はハウジング１１に固定され、その接続部２５においてナットＮを押止する。尚、ナットＮの上面はナット受け部２０の上面から僅かに突出しており、接続部２５の両側縁が若干下方に変位して撓むように一組の垂下部２６を係止すれば、接続部２５の弾性復元力をナットＮの押止に加算することができ好ましい。
【００２２】
以上述べたように、本実施形態の電気接続箱１０によれば、バスバー１４がハウジング１１に固定され、ナット受け部２０に圧入されているナットＮの上面に配置された接続部２５がナットＮの上面を押止し、ハウジング１１によるバスバー１４の保持力を加算してナット受け部２０におけるナットＮの保持力不足を補い、ナットＮがナット受け部２０から抜けることを防止することができる。それにより、バスバー１４と電線端末とを確実に接続することができる。そして、バスバー１４は、接続部２５の両側縁から延設された一組の垂下部２６をそれぞれ係止されてハウジング１１に固定されており、これによれば、ハウジング１１によるバスバー１４の保持力を有効に且つ確実に接続部２５に、そして接続部２５を介してナットＮに作用させることができる。
【００２３】
尚、本発明は、上述した実施形態に限定されるものではなく、適宜、変形、改良等が可能である。
【図面の簡単な説明】
【００２４】
【図１】本発明に係る電気接続箱の一実施形態の斜視図である。
【図２】図１の電気接続箱の要部斜視図である。
【図３】図１の電気接続箱の要部断面図である。
【符号の説明】
【００２５】
１０  電気接続箱
１１  ハウジング
１４  バスバー
１５  端子
２０  ナット受け部
２５  接続部
２６  垂下部
Ｂ    ボルト
Ｎ    ナット
【図１】
0004606371.tif 000002
【図２】
0004606371.tif 000003
【図３】
0004606371.tif 000004